(57)【特許請求の範囲】
【請求項１】
無線信号を送受信する第１送受信手段と、
自己の位置信号を受信する位置信号受信手段と、
前記位置信号受信手段より受信した位置信号に基づく位置情報を保持する記憶手段と、
自分の位置を知られたくない相手のＩＤを登録する登録手段とを有する第１携帯通信機器と、
第２送受信手段と文字入力のための入力手段とを有し、前記第１携帯通信機器の位置情報を要求し取得できる第２通信機器とから成り、
前記第２通信機器は、前記入力手段により前記第１携帯通信機器の位置情報を取得するためにパスワードおよび相手のＩＤを入力し、パスワードおよびＩＤが正しい場合は、前記第１携帯通信機器に位置情報の取得することが可能であり、
前記第１携帯通信機器は、位置情報要求があった場合に前記登録手段により前記第２通信機器のＩＤが登録されているかどうかを確認し、登録されている場合は位置情報を送信しない事を特徴とするプライバシー保護方法。
【請求項２】
前記第１携帯通信機器が、タイマーを有し、タイマーにて時間設定を行い、設定された時間帯になると前記登録手段により登録された相手のＩＤを有効にし、設定された時間帯を過ぎると前記相手のＩＤを無効にする事を特徴とする請求項１に記載のプライバシー保護方法。
【請求項３】
前記第１携帯通信機器が、タイマーを有し、タイマーにて時間設定を行い、設定された時間の所定時間前に前記登録手段により登録された相手のＩＤを有効にし、設定された時間帯を過ぎると前記登録手段により登録された相手のＩＤを無効にする事を特徴とする請求項1に記載のプライバシー保護方法。
【請求項４】
前記第２通信機器から前記第１携帯通信機器の現在地確認要求があり、前記第１携帯通信機器に現在地情報が保持されていない場合に、前記第１通信機器より前記第２通信機器にメッセージを送信する事を特徴とする請求項１乃至３に記載のプライバシー保護方法。
【請求項５】
前記第２通信機器から前記第1携帯通信機器の現在地確認要求があり、前記第1携帯通信機器内に現在地情報が所定時間前より更新されていない場合に、前記第１携帯通信機器より前記第２通信機器にメッセージを送信する事を特徴とする請求項１乃至４に記載のプライバシー保護方法。
【請求項６】
無線信号を送受信する送受信手段と、
自己の位置信号を受信する位置信号受信手段と、
前記位置情報信号手段より受信した位置信号に基づく位置情報を保持する記憶手段と、
非音声情報を入力するため及び各種の機能を選択するためのキー入力手段と、
他の通信機器から位置情報を取得するためのパスワードと、
自分の位置を知られたくない相手のＩＤを登録する登録手段と、
前記送受信手段により受信した相手のＩＤが登録されているか否かを判定する判定手段と、
前記相手のＩＤが登録されている場合、他の通信機器に対し位置情報の送信を禁止する位置情報送信禁止手段とを有することを特徴とした携帯通信機器。
【請求項７】
タイマーを有し、タイマーにて時間設定を行い、設定された時間帯になると前記リストを有効にし、設定された時間帯を過ぎると前記登録手段により登録された相手のＩＤを無効にする事を特徴とする請求項６に記載の携帯通信機器。
【請求項８】
タイマーを有し、タイマーにて時間設定を行い、設定された時間の所定時間前に前記登録手段により登録された相手のＩＤを有効にし、設定された時間帯を過ぎると前記登録手段により登録された相手のＩＤを無効にする事を特徴とする請求項６に記載の携帯通信機器。
【請求項９】
前記位置情報禁止手段は、ＩＤが登録されている相手から位置情報の要求があった場合に、位置情報の送信を拒否する内容のメッセージを送信する拒否メッセージ送信手段とを有する請求項６乃至８に記載の携帯通信機器。
【発明の詳細な説明】
【０００１】
【産業上の利用分野】
本発明は、衛星を利用した無線通信装置に関する。
【０００２】
【従来の技術】
ＧＰＳ搭載携帯電話機では、ＧＰＳ衛星からの信号を受信し、位置、年月日、時刻のデータを得ることができる。位置情報サービスにのっとり、他の携帯電話機からこの位置データが要求された場合、位置情報サービスセンターからの要求に応じて、得られた位置データをその相手の携帯電話機に基地局を介して送信することによって、相手の携帯電話機に自分の現在位置が知らせられる位置情報サービスがある。
【０００３】
位置情報サービスの概要を図８に示す。携帯電話ＢはＧＰＳを搭載しており、ＧＰＳ衛星と通信を行って自分の位置のデータ（例えば、緯度、経度）を得ることができる。この時、通常は、３基のＧＰＳ衛星と通信を行うが、図８では簡単のため１基のみを記載している。携帯電話Ｂが得た位置データは、携帯電話Ｂ内で利用されるだけでなく、位置情報サービスにのっとり、携帯電話Ａから該位置データを基地局を介して位置情報サービスセンターに要求し、位置情報サービスセンターは、この要求に従って、携帯電話Ｂに位置データの送信要求を出す。位置情報サービスセンターからの位置情報送信要求を受けた携帯電話Ｂは、位置データを位置情報サービスセンターに送り、この位置データは位置情報サービスセンターを介して携帯電話Ａに送信される。
【０００４】
このとき、携帯電話Ｂは、位置情報サービスセンターからの位置情報送信要求を受信してから、ＧＰＳ機能により現在位置データを獲得して、位置情報センターへ送信するという方法もある。
【０００５】
次に、携帯電話Ａから、携帯電話Ｂの位置情報を要求すると、通常は、プライバシー保護のために、携帯電話Ａは、携帯電話Ｂのためのパスワードを要求される。携帯電話Ｂのユーザが、事前に携帯電話Ａのユーザにパスワードを教えていれば、携帯電話Ａのユーザは、そのパスワードを入力することによって携帯電話Ｂでそのパスワードが確認され、位置データが位置情報サービスセンター経由で送信される。しかし、携帯電話Ａのユーザがパスワードを知らなければ、携帯電話Ｂは位置データの送信を拒否する。
【０００６】
このように、パスワードを教えなければ、自分の位置を他人に知られることはなく、プライバシーの保護がなされている。
【０００７】
【発明が解決しようとする課題】
位置情報サービスのためのパスワードを複数の人に教え、その一部又は全ての人に自分の位置を知られたくない場合がある。しかし、パスワードを知っている人は、いつでも位置情報サービスを利用して位置情報を得ることができる。そのため、パスワードを知っている人は、常に、相手の位置を確認することができることになり、従来の方法では、十分なプライバシー保護ができなかった。
【０００８】
従って、自分の位置を知られたくない場合は、電源を切るしかなかった。しかし、電源を切ると通常の携帯電話の使用もできなくなるという不便さがあった。
【０００９】
【課題を解決するための手段】
本願発明は、無線信号を送受信する送受信手段と、自己の位置情報を受信する位置情報受信手段と、位置情報受信手段より受信した位置情報を保持する記憶手段と、自分の位置を知られたくない相手のＩＤを登録する登録手段とを有する第１携帯通信機器と、送受信手段と、文字入力するための入力手段とを有し、第１携帯通信機器の位置情報を要求し取得できる第２通信機器とから成り、第２通信機器は、入力手段により第１携帯通信機器の位置情報を取得するためにパスワードおよび相手のＩＤを入力し、パスワードおよびＩＤが正しい場合は、第１携帯通信機器に位置情報の要求することを可能であり、第１携帯通信機器は、位置情報要求があった場合に、登録手段により第２通信機器のＩＤが登録されているかどうかを確認し登録されている場合は、位置情報を送信しない事を特徴とするプライバシー保護方法である。
【００１０】
無線信号を送受信する送受信手段と、自己の位置信号を受信する位置信号受信手段と、位置情報信号手段より受信した位置信号に基づく位置情報を保持する記憶手段と、非音声情報を入力するため及び各種の機能を選択するためのキー入力手段と、他の通信機器から位置情報を取得するためのパスワードと、自分の位置を知られたくない相手のＩＤを登録する登録手段と、送受信手段により受信した相手のＩＤが登録されているか否かを判定する判定手段と、相手のＩＤが登録されている場合、他の通信機器に対し位置情報の送信を禁止する位置情報送信禁止手段とを有することを特徴とした携帯通信機器
【００２８】
【発明の実施例】
以下、本発明の実施例を、図面に沿って具体的に説明する。
【００２９】
本発明に係るＧＰＳ搭載携帯電話機の構成を、図１に示す。図１において、１はアンテナ、３はデュプレクサ、４は受信部、５は送信部で、送信部（５）において、送信する信号を送信用の所定の形態に変換し、該変換された送信信号をデュプレクサ（３）に送る。デュプレクサ（３）は送信すべき信号をアンテナ（１）に送り、アンテナ（１）より無線送信し、また、アンテナ（１）より受信された信号はデュプレクサ（３）により受信部（４）に送り、受信部（４）では受信した信号を復調処理して制御部（６）に送る。制御部（６）では、送信時には、マイク（９）による音声入力又は操作部（８）より入力される非音声情報を処理し、送信部に送る。また、受信時には、受信部（４）より復調された信号を受取り、音声信号をスピーカ（２）に、非音声信号を表示部（７）に出力する。また、記憶部（１０）には、電話番号や受信したメッセージなどを記憶し、随時操作部（８）の操作により読み出すことができる。操作部（８）は、操作ボタンからなるキー入力部より成る。
【００３０】
また、ＧＰＳデータは、ＧＰＳアンテナ（１２）を介してＧＰＳデータ（例えば緯度、経度データ）を受信し、ＧＰＳ処理部（１１）にて携帯電話機内で処理できるデータ形状に変換し、制御部（６）に送る。
【００３１】
次に、本発明の概要を図２に示す。携帯電話ＢはＧＰＳを搭載しており、ＧＰＳ衛星と通信を行って自分の位置のデータ（例えば、緯度、経度）を得ることができる。この時、通常は、３基のＧＰＳ衛星と通信を行うが、図２では簡単のため１基のみを記載している。携帯電話Ｂが得た位置データは、携帯電話Ｂ内で利用されるだけでなく、位置情報サービスにのっとり、携帯電話Ｂから該位置データを基地局と位置情報サービスセンターを介して携帯電話Ａに送信できる。
【００３２】
次に、携帯電話Ａから、携帯電話Ｂの位置情報を要求すると、通常は、プライバシー保護のために、携帯電話Ａは、携帯電話Ｂのためのパスワードを要求される。携帯電話Ｂのユーザが、事前に携帯電話Ａのユーザにパスワードを教えていれば、携帯電話Ａのユーザは、そのパスワードを入力することによって携帯電話Ｂの位置情報を位置情報サービスセンターを介して要求し、獲得することができる。しかし、携帯電話Ａのユーザがパスワードを知らなければ、携帯電話Ｂから位置情報の送信を拒否され、拒否された事を表現したメッセージが返される。
【００３３】
さらに、携帯電話Ｂのユーザは、自分の位置を知られたくない相手をリストした位置確認不可能リストを作成し、保持することができる。位置情報サービスにのっとり、携帯電話Ａが携帯電話Ｂの位置情報要求をした時に、携帯電話Ｂは位置情報サービスセンターを介して受取った携帯電話ＡのＩＤが上記位置確認不可能リスト内に登録されていないかどうか確認する。位置情報確認不可能リストに登録されていた場合、携帯電話Ｂは位置情報の送信を拒否し、拒否を表現するメッセージを送信する。即ち、携帯電話Ｂのユーザは、位置確認不可能リストに携帯電話Ａを登録することにより、携帯電話Ａから携帯電話Ｂの位置確認ができないようにすることができ、さらに携帯電話Ｂは通常の携帯電話としての機能を使用することができる。
【００３４】
次に、本発明のシステムにおける第１の実施例におけるフローチャートを図３に示す。デフォルトは位置情報サービスをオンとする。従って、ステップ３０１で、携帯電話Ｂは、位置情報サービスをオンにし、ＧＰＳ衛星にアクセスし、ＧＰＳアンテナ（１２）及びＧＰＳ処理部（１１）を介してＧＰＳ位置データを取得する。
【００３５】
しかし、携帯電話Ｂのユーザが自分の位置を、携帯電話Ａのユーザに知られたくない場合（ステップ３０２）、携帯電話Ｂにおいて位置確認不可能リストに携帯電話Ａを登録することができる（ステップ３０３）。このとき、位置確認不可能リストは、例えば、図４に示すように単純に、位置を教えたくないユーザの携帯電話をリストアップするだけでよい。しかし、位置確認不可能リストへの登録の方法は、この方法に限定されるものではなく、位置確認させたくない相手を特定できる方法であればどんな方法でも構わない。
【００３６】
次に、携帯電話Ｂにおいて、位置確認不可能リストに携帯電話Ａを登録しない場合は（ステップ３０３）、通常通り携帯電話Ａは位置情報サービスによって、携帯電話Ｂの位置を確認することができる状態にある（ステップ３０５）。
【００３７】
次に、携帯電話Ｂにおいて、位置確認不可能リストに携帯電話Ａを登録する場合（ステップ３０３）、携帯電話Ａにおいて、携帯電話Ｂの位置情報を要求したとする（ステップ３０６）。さらに、携帯電話Ａは、携帯電話Ａであることを認識できるようなＩＤ（電話番号など）と携帯電話Ｂに対する位置情報サービスを利用するためのいパスワードを送信する（ステップ３０７）。携帯電話Ｂでは、位置情報サービスセンターや基地局を介して、このＩＤやパスワードを受信し、位置情報要求が携帯電話Ａから出された事を認識する。
【００３８】
携帯電話Ｂにおいて、受取ったパスワードをチェックし、パスワードが間違っている場合は（ステップ３０８）、携帯電話Ｂは位置情報を送信しない（ステップ３１１）。この場合、パスワードが間違っている旨を知らせるメッセージを携帯電話Ａに送ってもよい。
【００３９】
パスワードが正しい場合は（ステップ３０８）、次に位置確認不可能リストに携帯電話Ａが登録されているかどうかをチェックする（ステップ３０９）。登録されていない場合は、携帯電話Ａに対して位置情報を送信し（ステップ３１２）、携帯電話Ａでは、携帯電話Ｂの位置情報を受信して、携帯電話Ｂのユーザの位置を確認することができる（ステップ３１３）。
【００４０】
一方、位置確認不可能リストに携帯電話Ａが登録されている場合は（ステップ３０９）、位置情報要求が拒否された旨を示すメッセージを携帯電話Ａに送信する（ステップ３１０）。従って、携帯電話Ａは、携帯電話Ｂのユーザの位置を確認できないことになる。
【００４１】
次に、本発明のシステムにおける第２の実施例におけるフローチャートを図５に示す。デフォルトは位置情報サービスをオンとする。従って、ステップ５０１で、携帯電話Ｂは、位置情報サービスをオンにし、ＧＰＳ衛星にアクセスし、ＧＰＳアンテナ（１２）及びＧＰＳ処理部（１１）を介してＧＰＳ位置データを取得する。
【００４２】
しかし、携帯電話Ｂのユーザが、ある時間帯は、自分の位置を、携帯電話Ａのユーザに知られたくない場合（ステップ５０２）、携帯電話Ｂにおいてその時間帯のいタイマー設定を行うことができる（ステップ５０３）。携帯電話Ｂにおいて位置確認不可能リストに携帯電話Ａを登録する。（ステップ５０４）。このとき、位置確認不可能リストは、例えば、図４に示すように単純に、位置を教えたくないユーザの携帯電話をリストアップするだけでよい。しかし、位置確認不可能リストへの登録の方法は、この方法に限定されるものではなく、位置確認させたくない相手を特定できる方法であればどんな方法でも構わない。また、ここで作成される位置確認不可能リストは、タイマー設定した時間帯に特定されるものを別途作成してもよい。この時、位置か確認不可能リストに携帯電話Ａを登録しないと、携帯電話Ａからは、自由に位置確認できるようになる（ステップ５０６）。
【００４３】
次に、携帯電話Ｂにおいて、位置確認不可能リストに携帯電話Ａを登録する場合（ステップ５０５）、携帯電話Ａにおいて、携帯電話Ｂの位置情報を要求したとする（ステップ５０７）。携帯電話Ａにおいて、携帯電話Ａであることを認識できるようなＩＤ（電話番号など）と携帯電話Ｂに対する位置情報サービスを利用するためのパスワードを送信する（ステップ５０８）。携帯電話Ｂでは、位置情報サービスセンターや基地局を介して、このＩＤやパスワードを受信し、位置情報要求が携帯電話Ａから出されたことを認識する。
【００４４】
携帯電話Ｂにおいて、受取ったパスワードをチェックし、パスワードが間違っている場合は（ステップ５０９）、携帯電話は位置情報を送信しない（ステップ５１３）。この場合、パスワードが間違っている旨を知らせるメッセージを携帯電話Ａに送ってもよい。
【００４５】
パスワードが正しい場合は（ステップ５０９）、タイマーで設定された時間帯外、又はタイマー設定が行われていないとき（ステップ５１０）、携帯電話Ａに対して位置情報を送信し（ステップ５１４）、携帯電話Ａでは、携帯電話Ｂの位置情報を受信して、携帯電話Ｂのユーザの位置を確認することができる（ステップ５１５）。
【００４６】
一方、タイマー設定がなされていて、タイマー設定されている時間で（ステップ５１０）、位置確認不可能リストに携帯電話Ａが登録されていない場合は（ステップ５１１）、携帯電話Ａに対して位置情報を送信し（ステップ５１４）、携帯電話Ａでは、携帯電話Ｂの位置情報を受信して、携帯電話Ｂのユーザの位置を確認することができる（ステップ５１５）。
【００４７】
さらに、位置確認不可能リストに携帯電話Ａが登録されている場合は（ステップ５１１）、位置情報要求が拒否された旨を示すメッセージを携帯電話Ａに送信する（ステップ５１２）。従って、携帯電話Ａは、携帯電話Ｂのユーザの位置を確認できないことになる（ステップ５１３）。
【００４８】
次に、本発明のシステムにおける第３の実施例におけるフローチャートを図６に示す。デフォルトは位置情報サービスをオンとする。従って、ステップ６０１で、携帯電話Ｂは、位置情報サービスをオンにし、ＧＰＳ衛星にアクセスし、ＧＰＳアンテナ（１２）及びＧＰＳ処理部（１１）を介してＧＰＳ位置データを取得する。ここまでの処理は、ステップ６０４以降の操作をしない場合は、間欠的に繰り返されるものとする。
【００４９】
しかし、携帯電話Ｂのユーザが、ある時間帯は、自分の位置を、携帯電話Ａのユーザに知られたくない場合（ステップ６０２）、携帯電話Ｂにおいてその時間帯のタイマー設定を行うかどうか判断する。（ステップ６０３）。タイマー設定する場合は、ステップ６０４においてタイマー設定する。タイマー設定された時間になると、携帯電話ＢはＧＰＳ機能を停止させる（ステップ６０５）。
【００５０】
次に、タイマー設定しない場合は（ステップ６０３）、上記のように、間欠的にＧＰＳデータを通常通り取得する。
【００５１】
次に、携帯電話Ａにおいて、携帯電話Ｂの位置情報の問い合わせを行ったとする（ステップ６０６）。このとき、例えば、携帯電話Ａからは携帯電話Ｂに、位置情報を確認したい携帯電話Ｂの電話番号と、携帯電話Ａの電話番号と、携帯電話Ｂの位置情報を確認するためのパスワードを送信する。しかし、携帯電話Ａから携帯電話Ｂに送信するデータは、位置確認するべき相手が携帯電話Ｂであることを特定できるデータ、携帯電話Ａからの送信であることを確認できるデータ及び上記のパスワードが含まれていれば、如何なる形態のデータを送信しても構わない。
【００５２】
次に位置情報サービスセンターでは、携帯電話Ａからの携帯電話Ｂの位置情報の問い合わせであることを認識すると、携帯電話Ｂにおける位置データが過去一定時間内（例えば５分）に更新されているかどうかを確認する（ステップ６０７）。このとき、パスワードが正しいかどうかも確認するが、そのような方法は公知であるので図６には記載していない。
【００５３】
携帯電話Ｂにおいて、携帯電話Ｂの位置データが過去一定時間以内（例えば５分）に更新されている場合は（ステップ６０７）、携帯電話Ｂは携帯電話Ｂの位置情報を携帯電話Ａに送信する（ステップ６１０）。従って、携帯電話Ａにおいて、携帯電話Ｂの位置情報を受取り、携帯電話Ｂの位置を確認できる（ステップ６１１）。
【００５４】
一方、携帯電話Ｂにおいて、携帯電話Ｂの位置データが過去一定時間以内（例えば５分）に更新されていない場合は（ステップ６０８）、携帯電話Ｂは、携帯電話Ｂの位置確認が不可能であることを示すメッセージを携帯電話Ａに送信する（ステップ６０９）。携帯電話Ａにおいて、このような位置確認が不可能であることを示すメッセージを受取った場合は、携帯電話Ａでは携帯電話Ｂの位置を確認することができず、上記受取ったメッセージを表示部に表示する。
【００５５】
次に、本発明のシステムにおける第４の実施例におけるフローチャートを図７に示す。デフォルトは位置情報サービスをオンとする（ステップ７０１）。
【００５６】
しかし、携帯電話Ｂのユーザが、ある時間帯は、自分の位置を、携帯電話Ａのユーザに知られたくない場合、携帯電話Ｂにおいてその時間帯のタイマー設定を行うかどうか判断する。（ステップ７０２）。タイマー設定する場合は、ステップ７０３においてタイマー設定する。タイマー設定された時間になると、携帯電話ＢはＧＰＳ機能を停止させる（ステップ７０４）。従って、携帯電話Ｂの位置データを取得することができないので、携帯電話Ａにも、携帯電話Ｂの位置情報を送信することができない。
【００５７】
次に、タイマー設定しない場合は（ステップ７０２）、ＧＰＳデータを通常通り取得する。
【００５８】
次に、携帯電話Ａにおいて、携帯電話Ｂの位置情報の問い合わせを行ったとする（ステップ７０５）。このとき、例えば、携帯電話Ａからは携帯電話Ｂに、位置情報を確認したい携帯電話Ｂの電話番号と、携帯電話Ａの電話番号と、携帯電話Ｂの位置情報を確認するためのパスワードを送信する。しかし、携帯電話Ａから携帯電話Ｂに送信するデータは、位置確認するべき相手が携帯電話Ｂであることを特定できるデータ、携帯電話Ａからの送信であることを確認できるデータ及び上記のパスワードが含まれていれば、如何なる形態のデータを送信しても構わない。
【００５９】
次に携帯電話Ｂでは、携帯電話Ａからの携帯電話Ｂの位置情報の問い合わせであることを認識すると、パスワードが正しいかどうかも確認するが、そのような方法は公知であるので図７には記載していない。
【００６０】
携帯電話Ｂ内に携帯電話Ｂの位置データが存在する場合は、携帯電話Ｂは携帯電話Ｂの位置情報を携帯電話Ａに送信する（ステップ７０９）。従って、携帯電話Ａにおいて、携帯電話Ｂの位置情報を受取り、携帯電話Ｂの位置を確認できる（ステップ７１０）。
【００６１】
一方、携帯電話Ｂ内に携帯電話Ｂの位置データが存在する場合は、携帯電話Ｂは、携帯電話Ｂの位置確認が不可能であることを示すメッセージを携帯電話Ａに送信する（ステップ７０７）。携帯電話Ａにおいて、このような位置確認が不可能であることを示すメッセージを受取った場合は、携帯電話Ａでは携帯電話Ｂの位置を確認することができず、上記受取ったメッセージを表示部に表示する（ステップ７０８）。
【００６２】
本実施例は、本発明の一部の例であり、同様の効果が得られるフローチャートは多くのものが考えられる。また、本実施例は、携帯電話について記載したが、本発明は、通信機能を有していて、位置情報サービスを受けることができる機器であれば如何なる機器で構成されたシステムであっても構わない。
【００６３】
【発明の効果】
本発明により、位置情報サービスを利用するユーザは、一旦パスワードを教えた他の人によって何時でも自分の位置を確認される可能性があるという問題を解決することができる。
【００６４】
しかも、位置確認される側は、自分の携帯機器の電源をオフすることなく、他パスワードを知っている他の人からの位置確認を容易に拒否することが可能となった。
【００６５】
従って、一旦パスワードを教えても、いつでも相手を指定して位置確認を拒否することができるので、プライバシーはより強固に保護できるようになった。
【図面の簡単な説明】
【図１】本発明の実施例のブロック図。
【図２】本発明の概要図
【図３】本発明の第１の実施例のフローチャート
【図４】本発明の位置確認不可能リストの一例
【図５】本発明の第２の実施例のフローチャート
【図６】本発明の第３の実施例のフローチャート
【図７】本発明の第４の実施例のフローチャート
【図８】従来技術の概要図
【符号の説明】
１        アンテナ
２        スピーカ
３        デュプレクサ
４        受信部
５        送信部
６        制御部
７        表示部
８        操作部
９        マイク
１０    記憶部
１１  ＧＰＳ処理部
１２  ＧＰＳアンテナ
【図１】
0003545354.tif 000002
【図２】
0003545354.tif 000003
【図３】
0003545354.tif 000004
【図４】
0003545354.tif 000005
【図５】
0003545354.tif 000006
【図６】
0003545354.tif 000007
【図７】
0003545354.tif 000008
【図８】
0003545354.tif 000009